(57)【要約】  使用者がベッド装置上に寝たときの感触を良好にさせ得るベッド装置のボトムを提供する。  ベッド装置の上部に設けられて起伏可能なボトムにおいて、ボトムは、厚みのある樹脂製の板材からなる、背ボトム、腰ボトム、膝ボトム、及び足ボトムの各部を有してなり、それら各部のうちの所要部同士が連結部によって連結構成され、該連結部が前記所要部と同材質でかつ所要部よりも薄く一体に形成されたものであり、前記ボトムには、上面に凹所が形成され、その凹所はボトムの幅方向中央部に形成され、該凹所形成箇所には、ボトム表面から裏面にかけての貫通孔が複数形成されている。
2014171254.tif 000002
【特許請求の範囲】
【請求項１】
ベッド装置の上部に設けられて起伏可能なボトムにおいて、
ボトムは、厚みのある樹脂製の板材からなる、背ボトム、腰ボトム、膝ボトム、及び足ボトムの各部を有してなり、
それら各部のうちの所要部同士が連結部によって連結構成され、該連結部が前記所要部と同材質でかつ所要部よりも薄く一体に形成されたものであり、
前記ボトムには、ボトム上面に凹所が形成され、その凹所はボトムの幅方向中央部に形成され、該凹所形成箇所には、ボトム表面から裏面にかけての貫通孔が複数形成されていることを特徴とするベッド装置のボトム。
【請求項２】
前記ボトムの凹所は、ボトム全体の頭側部、足側部、及び幅方向両端部の周縁を残して、使用者の体側の幅に対応する寸法に形成されていることを特徴とする請求項１に記載のベッド装置のボトム。
【請求項３】
前記ボトムの凹所は、腰ボトムが最も深く形成され、次に膝ボトムが深く形成されていることを特徴とする請求項１または２に記載のベッド装置のボトム。
【請求項４】
前記ボトムは、所要部が腰ボトム、膝ボトム、足ボトムであって、腰ボトムに湾曲部が延在し、該湾曲部が背ボトムに重なって、背上げ作動時に前記湾曲部が背ボトムに摺接しかつ折り曲げ可能に連結する構成であることを特徴とする請求項１から３のうちの１項に記載のベッド装置のボトム。
【発明の詳細な説明】
【技術分野】
【０００１】
本発明は、ボトムが平坦時でも傾斜してもマットレスがズレないベッド装置のボトムに関する。
【背景技術】
【０００２】
ベッド装置において、マットレスを載置するボトムは、成形した金属製のほぼ矩形の板材をベッド装置の長さ方向に並べてボトムとしている。ボトムは背上げや足上げの作動に対応するため、前記矩形の板材の短辺がベッド装置の長さ方向に沿って複数が配列されている（特開２００６−１９８３５２号（特許文献１）参照）。【０００３】
また、この種のベッド装置においては、複数の板材を連結してベッドフレーム上に配列し、背上げや足上げ作動時に連結した板材が曲げ作動するために、板材同士の間に隙間が必要である。【０００４】
しかしながら、板材同士の間の隙間が使用者に凹凸の感触を与える場合があり、使用者の寝心地がマットレスで緩和できるとしても、この感触をボトム側で防止する構造は未提案であった。【０００５】
また、ボトム上でマットレスが横ズレするのを防止する構造として、前記特許文献１では、横ズレ阻止部材がボトムの幅方向両端部に設けられている。この横ズレ阻止部材ではマットレス端部を係止してズレを防止する。
【先行技術文献】
【特許文献】
【０００６】
【特許文献１】特開２００６−１９８３５２号
【発明の概要】
【発明が解決しようとする課題】
【０００７】
本発明は、斯かる実情に鑑み、使用者がベッド装置上に寝たときの感触を良好にさせ得るベッド装置のボトムを提供するものである。
【課題を解決するための手段】
【０００８】
本発明は、ベッド装置の上部に設けられて起伏可能なボトムにおいて、
ボトムは、厚みのある樹脂製の板材からなる、背ボトム、腰ボトム、膝ボトム、及び足ボトムの各部を有してなり、
それら各部のうちの所要部同士が連結部によって連結構成され、該連結部が前記所要部と同材質でかつ所要部よりも薄く一体に形成されたものであり、
前記ボトムには、ボトム上面に凹所が形成され、その凹所はボトムの幅方向中央部に形成され、該凹所形成箇所には、ボトム表面から裏面にかけての貫通孔が複数形成されていることを特徴とするベッド装置のボトムである。【０００９】
本発明において、ボトムの凹所は、ボトム全体の頭側部、足側部、及び幅方向両端部の周縁を残して、使用者の体側の幅に対応する寸法に形成されていることが好適である。【００１０】
また、本発明において、ボトムの凹所は、腰ボトムが最も深く形成され、次に膝ボトムが深く形成されていることが好適である。【００１１】
本発明において、前記ボトムは、所要部が腰ボトム、膝ボトム、足ボトムであって、腰ボトムに湾曲部が延在し、該湾曲部が背ボトムに重なって、背上げ作動時に前記湾曲部が背ボトムに摺接しかつ折り曲げ可能に連結する構成であることが好適である。
【発明の効果】
【００１２】
本発明のベッド装置のボトムによれば、ボトムは、厚みのある樹脂製の板材からなる、背ボトム、腰ボトム、膝ボトム、及び足ボトムの各部を有してなり、それら各部のうちの所要部同士が連結部によって連結構成され、該連結部が前記所要部と同材質でかつ所要部よりも薄く一体に形成されたものであり、ベッドに寝ている使用者にとって各部の連結部で沈み込まないので、マットレスが挟まった凸凹感を感じることがない。
また、凹所がボトムの幅方向中央部に形成されているので、使用者がベッド装置上に寝たときに体の当たる部分が平坦に比べて緩和される。それと共に貫通孔でボトムの通気性を確保できる。
したがって、使用者が寝た感触を良好にさせ得るという優れた効果を奏し得る。
【図面の簡単な説明】
【００１３】
【図１】（ａ）は本発明の実施形態に係るボトムが載置されるベッド装置の概略斜視図、（ｂ）は該ボトムの斜視図である。
【図２】ボトムの全体平面図である。
【図３】ボトムの背ボトムの平面図である。
【図４】（ａ）はボトムの腰ボトム、膝ボトム、足ボトムが一体になった所要部の平面図、（ｂ）は（ａ）のＢ−Ｂ線に沿う断面図である。
【図５】（ａ）は図３のＡ−Ａ線に沿う断面図、（ｂ）は図４（ａ）のＣ−Ｃ線に沿う足側部材の断面図である
【発明を実施するための形態】
【００１４】
以下、本発明の実施形態について、添付図面を参照して説明する。
【００１５】
図１（ａ）は本発明に係るボトムが搭載されるベッド装置の全体斜視図、（ｂ）がボトムの斜視図、図２〜図５はボトムの説明図である。
【００１６】
図１、図２に示すように、ベッド装置において、それに寝た状態の使用者の頭が向く頭側を符号「Ｈ」、該使用者の足が向く足側を符号「Ｆ」で示す。
【００１７】
図１（ａ）に示すように、ベッド装置は、主に、頭側及び足側に端部が向く長さ方向が幅方向よりも長い概略ラダー状構造の上部フレーム１０と、該上部フレーム１０上に載置されるボトム１２と、この上部フレーム１０の頭側及び足側の下部にそれぞれ設けられた、フロア面上に対して前記上部フレーム１０を昇降可能に支持する頭側昇降部１４Ｈ及び足側昇降部１４Ｆとを備えている。
【００１８】
上部フレーム１０の頭側及び足側の各部の下面側には、前記頭側昇降部１４Ｈ及び足側昇降部１４Ｆの上端部に当該上部フレーム１０を設置するための、前記ベッド装置の幅方向に長い概略矩形枠状の枠フレーム１６がそれぞれ固定されている。
【００１９】
図示しないが、昇降部１４Ｈ及び１４Ｆの下端同士は、連結フレームによって着脱可能に連結される。また、前記昇降部１４Ｈ及び１４Ｆにはそれぞれアクチュエータが設けられ、各アクチュエータの駆動力が別々に制御する構成であり、各アクチュエータの駆動制御によって上部フレーム１０が頭側及び足側同士の上下位置に差が付く傾動動作をさせることができる。
【００２０】
また、上部フレームには、頭側に背上げ用のロッドと、中央部付近に膝上げ用のロッドが設けられている。またそれらを駆動するアクチュエータも設けられている。
【００２１】
図１〜図２に示すように、ボトム１２は、マットレス（概略を図１に符号「１８」で示す）を載せた状態で、使用者の荷重を支えるものである。ボトム１２は、使用者が頭と背を支える背ボトム１２ａ、腰を支える腰ボトム１２ｂ、腰から膝までを支える膝ボトム１２ｃ、膝から先の足を支える足ボトム１２ｄの各板状部からなる。
【００２２】
実施形態のベッド装置には、その上部に設けられたボトム１２が起伏可能である。つまり、背上げ用のロッドでボトム１２の背ボトム１２ａを背上げ作動可能であると共に、膝上げ用のロッドで膝ボトム１２ｃ及び足ボトム１２ｄを膝上げ作動や足上げ作動が可能に構成されている。
【００２３】
ここで、ボトム１２は、背ボトム１２ａ、腰ボトム１２ｂ、膝ボトム１２ｃ、足ボトム１２ｄのそれぞれが厚みのある樹脂製の板材からなり、後に詳述するように各部の上面に凹所２０が凹んで形成されている。
【００２４】
該凹所２０形成箇所には、ボトム１２表面から裏面にかけての貫通孔２２が複数形成されている。これら複数の貫通孔２２はボトム１２の幅方向及び長さ方向に配列されている。前記貫通孔２２は、形状や個数が適宜であるが、実施形態では、図２に示すように、前記貫通孔２２は、幅方向に複数の円形、長円形（長軸が幅方向に沿う）を並べ、それらがボトム１２の長さ方向に複数配列されて形成されている。
【００２５】
また、前記ボトム１２には、上面に凹所２０が凹んで形成され、その凹所２０はボトム１２の幅方向中央部に形成される。具体的に、ボトム１２においては、背ボトム１２ａ、腰ボトム１２ｂ、膝ボトム１２ｃ、足ボトム１２ｄに連続する領域に凹所２０が凹んで形成されている。そして、ボトム１２の表面に、凹所２０は、全体的にボトム１２の周縁を残して形成されている。
【００２６】
すなわち、背ボトム１２ａの頭側端と、当該背ボトム１２ａ、腰ボトム１２ｂ、膝ボトム１２ｃ、足ボトム１２ｄの両側と、足ボトム１２ｄの足側端とに平坦な縁部２６を残して凹所２０が形成されている。つまり、前記凹所２０は、平坦な縁部２６に囲まれた内側に形成されており、ボトムの幅方向に適宜の寸法で形成可能であるが、前記凹所２０がボトム１２の幅の１／２〜４／５等が適切である。
【００２７】
また、前記凹所２０は、断面視する図４（ｂ）、図５に示すように、ボトム１２の背ボトム１２ａ、腰ボトム１２ｂ、膝ボトム１２ｃ、及び足ボトム１２ｄの各部の縁部２６等厚い部分の１／２以下の深さで形成されている。また、前記凹所２０の縁部２６から繋がる周辺は、緩やかに平坦面に対して３０°〜５０°程度の角度が付いて面取されていて、使用者が寝るときに突き当たり感を防止している。
【００２８】
実施形態のベッド装置のボトム１２によれば、凹所２０がボトム１２の幅方向中央部に形成されているので、使用者がベッド装置上に寝たときに体の当たる部分が平坦に比べて緩和される。それと共に貫通孔２２でボトムの通気性を確保できるので、使用者が寝た場合の感触が良好になる。また、ボトム１２上のマットレス１８も凹所２０にはまりこんでボトム１２に対してズレにくく、ズレが防止できる。
【００２９】
ここで、ボトム１２の各部において、図３に示すように、各部のうちの背ボトム１２ａが単一部材とされる。また、図４に示すように、各部のうちの腰ボトム１２ｂ、膝ボトム１２ｃ、及び足ボトム１２ｄが所要部であり、それら同士が連結部２４によって連結されて、全体が単一部材に構成されている。該連結部２４が前記所要部と同材質でかつ所要部よりも薄く一体に形成されたものである。
【００３０】
前記所要部の腰ボトム１２ｂには、頭側方向に、背ボトム１２ａに摺接して折り曲げ可能に連結する湾曲ボトム２８が延在している。
【００３１】
この湾曲ボトム２８は、断面台形の細長い棒状部がボトム１２の幅方向に沿っていて、かつ、ボトム１２の長さ方向に複数配列されており、各棒状部が薄肉部で連結された、概略すのこ（簀子）状または蛇腹状になって折げ自在な構成である。前記湾曲ボトム２８は、背ボトム１２ａの連結用凹み３０に収まってボトム１２の長さ方向に摺接しかつ折り曲げ可能に、図示しないピン体が前記背ボトム１２ａの長穴３０ａに摺動可能に嵌まって、互いに繋がっている。
【００３２】
図５の（ａ）には背ボトム１２ａの断面を拡大して示し、同（ｂ）には腰ボトム１２ｂ、膝ボトム１２ｃ、足ボトム１２ｄの断面図を示している。図５の（ａ）と（ｂ）では、縮尺が異なるが、ボトムの凹所２０は、図５（ｂ）に示すように腰ボトム１２ｂの凹所２０が、最も深く形成され（深さｄ１）、次に膝ボトム１２ｃの凹所が深く形成され（深さｄ２）ている。なお、背ボトム１２ａの凹所２０（深さｄ３）や足ボトム１２ｄの凹所２０（深さｄ４）は、膝ボトム１２ｃの凹所２０よりも浅く形成されている。凹所２０の深さはｄ１＞ｄ２＞ｄ３（ｏｒｄ４）の関係になっている。
【００３３】
これらの構成によって、ボトム１２の全体が水平になっても腰ボトム１２ｂが若干凹んだ状態で使用者の腰部位をホールドし、かつ、背上げときや足上げ時に使用者の凹みで腰部位があまり動かないので、使用者の背中の曲がり等を確実に防止できる。
【産業上の利用可能性】
【００３４】
本発明のベッド装置のボトムは、在宅介護用ベッド装置、施設介護用ベッド装置、病院用ベッド装置等各種ベッド装置のボトムに利用することができる。
【符号の説明】
【００３５】
１０  上部フレーム
１２  ボトム
１２ａ  背ボトム
１２ｂ  腰ボトム
１２ｃ  膝ボトム
１２ｄ  足ボトム
２０  凹所
２２  貫通孔
２４  連結部
２６  縁部
２８  湾曲ボトム
【図１】
2014171254.tif 000003
【図２】
2014171254.tif 000004
【図３】
2014171254.tif 000005
【図４】
2014171254.tif 000006
【図５】
2014171254.tif 000007
【手続補正書】
【提出日】平成28年2月24日(2016.2.24)
【手続補正１】
【補正対象書類名】特許請求の範囲
【補正対象項目名】全文
【補正方法】変更
【補正の内容】
【特許請求の範囲】
【請求項１】
ボトムには、前記ボトム上面に平坦な縁部を残して凹んだ凹所が形成され、その凹所は前記ボトムの幅方向中央部に形成され、該凹所形成箇所には、前記ボトム表面から裏面にかけての貫通孔が複数形成されていることを特徴とするベッド装置のボトム。
【請求項２】
ベッド装置の上部に設けられて起伏可能なボトムにおいて、
前記ボトムは、厚みのある樹脂製の板材からなる各部を有してなり、
それら各部のうちの所要部同士が連結部によって連結構成され、該連結部が前記所要部よりも薄く形成されたものであり、
前記ボトムには、前記ボトム上面に平坦な縁部を残して凹んだ凹所が形成され、その凹所は前記ボトムの幅方向中央部に形成され、該凹所形成箇所には、前記ボトム表面から裏面にかけての貫通孔が複数形成されていることを特徴とするベッド装置のボトム。
【請求項３】
前記ボトムの凹所は、前記ボトム全体の頭側部、足側部、及び幅方向両端部に平坦な縁部を残して、使用者の体側の幅に対応する寸法に形成されていることを特徴とする請求項１または２に記載のベッド装置のボトム。
【請求項４】
前記ボトムの凹所は、一のボトムが最も深く形成され、次に他のボトムが深く形成されていることを特徴とする請求項１から３のうちの１項に記載のベッド装置のボトム。
【請求項５】
前記ボトムの凹所は、最も深く形成されている一のボトムが腰ボトムであることを特徴とする請求項４に記載のベッド装置のボトム。
【請求項６】
前記ボトムの凹所は、腰ボトムが最も深く形成され、次に膝ボトムが深く形成されていることを特徴とする請求項４記載のベッド装置のボトム。
【請求項７】
前記ボトムは、前記所要部が腰ボトム、膝ボトムであって、前記腰ボトムに湾曲部が延在し、該湾曲部が背ボトムに重なって、背上げ作動時に前記湾曲部が前記背ボトムに摺接しかつ折り曲げ可能に連結する連結部とする構成であることを特徴とする請求項２から６のうちの１項に記載のベッド装置のボトム。
【請求項８】
前記請求項１から７うちのいずれか１項に記載のボトムを備えたことを特徴とするベッド装置。
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
ボトムには、前記ボトム上面の幅方向左右に平坦な縁部を残して前記ボトム上面の幅方向中央部が凹んで凹所が形成され、該凹所の形成された箇所には、前記ボトム表面から裏面にかけての貫通孔が複数形成されていることを特徴とするベッド装置のボトム。
【請求項２】
ベッド装置の上部に設けられて起伏可能なボトムにおいて、  前記ボトムは、厚みのある樹脂製の板材からなる各部を有してなり、  それら各部のうちの所要部同士が連結部によって連結構成され、該連結部が前記所要部よりも薄く形成されたものであり、  前記ボトムには、前記ボトム上面の幅方向左右に平坦な縁部を残して前記ボトム上面の幅方向中央部が凹んで凹所が形成され、該凹所の形成された箇所には、前記ボトム表面から裏面にかけての貫通孔が複数形成されていることを特徴とするベッド装置のボトム。
【請求項３】
前記ボトム上面の幅方向左右の平坦な縁部は、前記ボトムの幅の１／２〜１／５の幅としたことを特徴とする請求項１又は２に記載のベッド装置のボトム。
【請求項４】
前記ベッド装置は、頭側及び足側に端部が向く長さ方向が幅方向よりも長いフレーム部材が幅方向左右に対で配置された構造の上部フレームを有し、  当該上部フレーム上に腰ボトムを備え、当該腰ボトムの幅方向左右の平坦な縁部が前記左右のフレーム部材上に位置するように前記腰ボトムを配置したことを特徴とする請求項１から３のうちの１項に記載のベッド装置のボトム。
【請求項５】
前記ボトムの凹所は、前記ボトム全体の頭側部、足側部、及び幅方向左右両端部に平坦な縁部を残して、使用者の体側の幅に対応する寸法に形成されていることを特徴とする請求項１から４のうちの１項に記載のベッド装置のボトム。
【請求項６】
前記ボトムは、背ボトム、腰ボトム、膝ボトム、及び足ボトムの各部を有し、前記各部のボトムにそれぞれ凹所が形成され、前記背ボトム、腰ボトム、膝ボトム、及び足ボトムのうちの一のボトムの凹所が最も深く形成され、次に他のボトムが深く形成されていることを特徴とする請求項ｌから４のうちの１項に記載のベッド装置のボトム。
【請求項７】
前記ボトムの凹所は、腰ボトムが最も深く形成され、次に膝ボトム、足ボトムまたは背ボトムが深く形成されていることを特徴とする請求項６に記載のベッド装置のボトム。
【請求項８】
前記ボトムは、前記所要部が腰ボトム、膝ボトムであって、前記腰ボトムに湾曲部が延在し、該湾曲部が背ボトムに重なって、背上げ作動時に前記湾曲部が前記背ボトムに摺接しかつ折り曲げ可能に連結する連結部とする構成であることを特徴とする請求項２から７のうちの１項に記載のベッド装置のボトム。
【請求項９】
前記請求項１から８のうちのいずれか１項に記載のボトムを備えたことを特徴とするベッド装置。
【手続補正２】
【補正対象書類名】明細書
【補正対象項目名】０００８
【補正方法】変更
【補正の内容】
【０００８】  本発明は、ボトムには、前記ボトム上面の幅方向左右に平坦な縁部を残して前記ボトム上面の幅方向中央部が凹んで凹所が形成され、該凹所の形成された箇所には、前記ボトム表面から裏面にかけての貫通孔が複数形成されていることを特徴とするベッド装置のボトムである。  本発明は、ベッド装置の上部に設けられて起伏可能なボトムにおいて、  前記ボトムは、厚みのある樹脂製の板材からなる各部を有してなり、  それら各部のうちの所要部同士が連結部によって連結構成され、該連結部が前記所要部よりも薄く形成されたものであり、  前記ボトムには、前記ボトム上面の幅方向左右に平坦な縁部を残して前記ボトム上面の幅方向中央部が凹んで凹所が形成され、該凹所の形成された箇所には、前記ボトム表面から裏面にかけての貫通孔が複数形成されていることを特徴とするベッド装置のボトムである。 
【手続補正３】
【補正対象書類名】明細書
【補正対象項目名】０００９
【補正方法】変更
【補正の内容】
【０００９】 本発明において、前記ボトム上面の幅方向左右の平坦な縁部は、前記ボトムの幅の１／２〜１／５の幅としたことが好適である。  本発明において、前記ベッド装置は、頭側及び足側に端部が向く長さ方向が幅方向よりも長いフレーム部材が幅方向左右に対で配置された構造の上部フレームを有し、  当該上部フレーム上に腰ボトムを備え、当該腰ボトムの幅方向左右の平坦な縁部が前記左右のフレーム部材上に位置するように前記腰ボトムを配置したことが好適である。  本発明において、前記ボトムの凹所は、前記ボトム全体の頭側部、足側部、及び幅方向左右両端部に平坦な縁部を残して、使用者の体側の幅に対応する寸法に形成されているが好適である。 
【手続補正４】
【補正対象書類名】明細書
【補正対象項目名】００１０
【補正方法】変更
【補正の内容】
【００１０】  また、本発明において、前記ボトムは、背ボトム、腰ボトム、膝ボトム、及び足ボトムの各部を有し、前記各部のボトムにそれぞれ凹所が形成され、前記背ボトム、腰ボトム、膝ボトム、及び足ボトムのうちの一のボトムの凹所が最も深く形成され、次に他のボトムが深く形成されていることが好適である。 本発明において、前記ボトムの凹所は、腰ボトムが最も深く形成され、次に膝ボトム、足ボトムまたは背ボトムが深く形成されていることが好適である。 
【手続補正５】
【補正対象書類名】明細書
【補正対象項目名】００１１
【補正方法】変更
【補正の内容】
【００１１】  本発明において、前記ボトムは、前記所要部が腰ボトム、膝ボトムであって、前記腰ボトムに湾曲部が延在し、該湾曲部が背ボトムに重なって、背上げ作動時に前記湾曲部が前記背ボトムに摺接しかつ折り曲げ可能に連結する連結部とする構成であることが好適である。 本発明は、前記ベッド装置のボトムのうちのいずれかのボトムを備えたことを特徴とするベッド装置である。
【国際調査報告】
2014171254.tif 000008
2014171254.tif 000009
2014171254.tif 000010
2014171254.tif 000011